(57)【要約】【課題】  施工作業性を向上させた排水能力等の流水性が良好な路面用水路施設の形成方法及びその中継用水路ブロック、暗渠型水路ブロックを提供する。【解決手段】  内部に長手方向に沿う水路を有する水路ブロックをその水路を連通させて接合するに際し、所定断面形状の水路１ａを有する水路ブロック１と、水路２ａの断面が前記水路１ａの断面高さより低い略扁平異形状をなす暗渠型水路ブロック２との間に、水路３ａの断面が長手方向の一端で水路ブロック１、他端で暗渠型水路ブロック２の前記断面と夫々同断面を有して長手方向にわたり漸次変形された中継用水路ブロック３を介在させ、各水路ブロック１，３，２の水路１ａ，３ａ，２ａにおける流量を略同等とし、該水路１ａ，３ａ，２ａ底部位置を長手方向に揃え、暗渠型水路ブロック２の上面２ｂを水路ブロック１の上面１ｂより所定高さ分低くする。【選択図】図１
2008163708.tif 000002
【特許請求の範囲】
【請求項１】
内部に長手方向に沿う水路を有する水路ブロックをその水路を連通させて接合するに際し、所定断面形状の水路（１ａ）を有する水路ブロック（１）と、水路（２ａ）の断面が前記水路ブロック（１）の水路（１ａ）の断面高さより低い略扁平異形状をなす暗渠型水路ブロック（２）との間に、水路（３ａ）の断面が長手方向の一端で前記水路ブロック（１）、他端で前記暗渠型水路ブロック（２）の前記断面と夫々同断面を有して長手方向にわたり漸次変形された中継用水路ブロック（３）を介在させ、各水路ブロック（１），（３），（２）の水路（１ａ），（３ａ），（２ａ）における流量を略同等となすとともに、該水路（１ａ），（３ａ），（２ａ）底部位置を長手方向に揃え、暗渠型水路ブロック（２）の上面（２ｂ）を水路ブロック（１）の上面（１ｂ）より所定高さ分低く形成する路面用水路施設の形成方法。
【請求項２】
路面用の水路施設を形成すべく、内部の長手方向に沿う水路（１ａ）の断面が円形等所定形状をなす水路ブロック（１）と、内部の長手方向に沿う水路（２ａ）の断面が略山形状の上部を有する略扁平異形状をなす暗渠型水路ブロック（２）との間に介在されるものであって、内部の長手方向に沿う水路（３ａ）の断面が、長手方向の一端で前記水路ブロック（１）、他端で前記暗渠型水路ブロック（２）の前記断面と夫々同断面を有して長手方向にわたり漸次変形され、その水路（３ａ）における流量が前記水路ブロック（１）、暗渠型水路ブロック（２）の水路（１ａ），（２ａ）の流量と略同等となされるとともに、水路（３ａ）底部が前記水路ブロック（１）、暗渠型水路ブロック（２）の水路（１ａ），（２ａ）底部と連続すべく長手方向に略直線状となされた中継用水路ブロック。
【請求項３】
路面用の水路施設を形成すべく、内部の長手方向に沿う水路（１ａ）の断面が円形等所定形状をなす水路ブロック（１）に間接的に接合されるものであって、内部の長手方向に沿う水路（２ａ）の断面が略山形状の上部を有する略扁平異形状をなし、その水路（２ａ）の流量が前記水路ブロック（１）の水路（１ａ）の流量と略同等となされるとともに、水路（２ａ）底部が前記水路ブロック（１）の水路（１ａ）底部位置に揃うべく長手方向に略直線状となされ、上面（２ｂ）が水路（２ａ）上部との間に所定厚みを有して前記水路ブロック（１）の上面（１ｂ）より所定高さ分低く形成された暗渠型水路ブロック。
【請求項４】
水路（２ａ）の略扁平異形状をなす断面形状が、略左右対称状をなし、左右方向に延びる底辺部（２ｅ）の左右両端に側辺部（２ｆ）が略起立状に連続され、底辺部（２ｅ）に相対し、頂部の左右両側が所定勾配の斜降状をなして略山形状となされた上辺部（２ｇ）の左右両端を両側辺部（２ｆ）の上端に夫々連続させて形成された請求項３記載の暗渠型水路ブロック。
【請求項５】
内部に長手方向に沿う水路（２ａ）を有し、上面（２ｂ）が水路（２ａ）上部との間に所定厚みを有してなり、前記水路（２ａ）の略扁平異形状をなす断面形状が、略左右対称状をなし、左右方向に延びる底辺部（２ｅ）の左右両端に側辺部（２ｆ）が略起立状に連続され、底辺部（２ｅ）に相対し、頂部の左右両側が所定勾配の斜降状をなして略山形状となされた上辺部（２ｇ）の左右両端を両側辺部（２ｆ）の上端に夫々連続させて形成された暗渠型水路ブロック。
【発明の詳細な説明】
【技術分野】
【０００１】  本発明は路面用水路施設の形成方法及びその中継用水路ブロック、暗渠型水路ブロックに関し、詳しくは、例えば道路の交差部等にあって、道路の路側や歩車道境界等に沿って道路に埋設した側帯用の水路ブロックに容易に連続して、その排水能力を低下させることなく、又、道路舗装が分断されて道路機能、安全及び景観を損なうことなく、交差する道路を横断すべく路面用水路施設を形成する方法、及びこれに使用する中継用水路ブロック、暗渠型水路ブロックに関するものである。
【背景技術】
【０００２】  従来、例えば道路の路側や歩車道境界等に沿って、内部に長手方向に沿う水路を有する筒状コンクリート製の水路ブロックがその水路を連通させて接続されるとともに、その上面を路面に露出させて道路に埋設されることにより道路縦断方向に沿う側帯用の水路が形成されており、道路の交差部等にあって、前記縦断方向に連続する水路がこれと交差する道路によって遮られるような場合に、道路舗装面における排水勾配の確保及び無用な物体の露出防止といった道路機能、安全及び景観等の面から水路を路面に露出させずに交差道路を横断して連続させるべく、交差する道路に臨む水路の水路ブロック端部に深底状のマスブロックが道路に埋設されて水路ブロック端部がマスブロックの上位部に連結され、前記交差する道路を挟み相対して埋設されたマスブロックの下位部間に、前記道路を横断すべく土被りを有して埋設された排水管がさし渡されることにより、交差道路を横断する路面用の水路施設が形成されている。
【発明の開示】
【発明が解決しようとする課題】
【０００３】  しかしながら、かかる従来の路面用水路施設は、水路と交差する道路に臨む水路ブロック端部に深底状のマスブロックが道路に埋設されて水路ブロック端部がマスブロックの上位部に連結され、前記交差する道路を挟み相対して埋設されたマスブロックの下位部間に、前記道路を横断すべく土被りを有して埋設された排水管がさし渡されて形成されるために、水路ブロックを略直線状、且つ連続的に接続施工するのとは異なり、深底状のマスブロックや土被りを有すべき排水管を道路に埋設すべくより深く掘削して接続施工しなければならず、その施工が煩瑣となって手間がかかり、施工作業性に劣る問題点があるとともに、水路が水路ブロックに接続するマスブロック及び排水管によって凹状に屈曲され、その底部が直線的に揃わずに本来の水路ブロックが有する排水性が損なわれ、排水能力が低下する問題点があった。
本発明はかかる従来の問題点に鑑みてなされたものであって、施工に手間がかからずその施工作業性を向上させるとともに、排水能力等の流水性が良好な路面用水路施設の形成方法及びその中継用水路ブロック、暗渠型水路ブロックを提供することを課題としている。
【課題を解決するための手段】
【０００４】  上記課題を解決するため、本発明の路面用水路施設の形成方法は、内部に長手方向に沿う水路を有する水路ブロックをその水路を連通させて接合するに際し、所定断面形状の水路１ａを有する水路ブロック１と、水路２ａの断面が前記水路ブロック１の水路１ａの断面高さより低い略扁平異形状をなす暗渠型水路ブロック２との間に、水路３ａの断面が長手方向の一端で前記水路ブロック１、他端で前記暗渠型水路ブロック２の前記断面と夫々同断面を有して長手方向にわたり漸次変形された中継用水路ブロック３を介在させ、各水路ブロック１，３，２の水路１ａ，３ａ，２ａにおける流量を略同等となすとともに、該水路１ａ，３ａ，２ａ底部位置を長手方向に揃え、暗渠型水路ブロック２の上面２ｂを水路ブロック１の上面１ｂより所定高さ分低く形成するものである。【０００５】  又、本発明の中継用水路ブロックは、路面用の水路施設を形成すべく、内部の長手方向に沿う水路１ａの断面が円形等所定形状をなす水路ブロック１と、内部の長手方向に沿う水路２ａの断面が略山形状の上部を有する略扁平異形状をなす暗渠型水路ブロック２との間に介在されるものであって、内部の長手方向に沿う水路３ａの断面が、長手方向の一端で前記水路ブロック１、他端で前記暗渠型水路ブロック２の前記断面と夫々同断面を有して長手方向にわたり漸次変形され、その水路３ａにおける流量が前記水路ブロック１、暗渠型水路ブロック２の水路１ａ，２ａの流量と略同等となされるとともに、水路３ａ底部が前記水路ブロック１、暗渠型水路ブロック２の水路１ａ，２ａ底部と連続すべく長手方向に略直線状となされたものである。【０００６】  又、本発明の暗渠型水路ブロックは、路面用の水路施設を形成すべく、内部の長手方向に沿う水路１ａの断面が円形等所定形状をなす水路ブロック１に間接的に接合されるものであって、内部の長手方向に沿う水路２ａの断面が略山形状の上部を有する略扁平異形状をなし、その水路２ａの流量が前記水路ブロック１の水路１ａの流量と略同等となされるとともに、水路２ａ底部が前記水路ブロック１の水路１ａ底部位置に揃うべく長手方向に略直線状となされ、上面２ｂが水路２ａ上部との間に所定厚みを有して前記水路ブロック１の上面１ｂより所定高さ分低く形成されたものである。【０００７】  又、本発明の暗渠型水路ブロックは、前記暗渠型水路ブロックにおいて、水路２ａの略扁平異形状をなす断面形状が、略左右対称状をなし、左右方向に延びる底辺部２ｅの左右両端に側辺部２ｆが略起立状に連続され、底辺部２ｅに相対し、頂部の左右両側が所定勾配の斜降状をなして略山形状となされた上辺部２ｇの左右両端を両側辺部２ｆの上端に夫々連続させて形成された構成を採用することができる。【０００８】  又、本発明の暗渠型水路ブロックは、内部に長手方向に沿う水路２ａを有し、上面２ｂが水路２ａ上部との間に所定厚みを有してなり、前記水路２ａの略扁平異形状をなす断面形状が、略左右対称状をなし、左右方向に延びる底辺部２ｅの左右両端に側辺部２ｆが略起立状に連続され、底辺部２ｅに相対し、頂部の左右両側が所定勾配の斜降状をなして略山形状となされた上辺部２ｇの左右両端を両側辺部２ｆの上端に夫々連続させて形成��れたものである。
【発明の効果】
【０００９】  本発明の路面用水路施設の形成方法は、所定断面形状の水路を有する水路ブロックと、水路の断面が前記水路ブロックの水路の断面高さより低い略扁平異形状をなす暗渠型水路ブロックとの間に、水路の断面が長手方向の一端で前記水路ブロック、他端で前記暗渠型水路ブロックの前記断面と夫々同断面を有して長手方向にわたり漸次変形された中継用水路ブロックを介在させ、暗渠型水路ブロックの上面を水路ブロックの上面より所定高さ分低く形成するために、側帯等の水路を形成すべく上面を路面に露出させ、且つ路面と略面一状にして道路に埋設される水路ブロックに連続して、その水路を連通させ中継用水路ブロックを介して暗渠型水路ブロックを速やか且つ容易に接合できるとともに、暗渠型水路ブロックを、その上面を路面に露出させることなく路面下の所定深さに位置させ、所要の強度を有して上面を含む全体を道路に埋設する構造の路面用水路施設が容易に形成できる。【００１０】  即ち、例えば道路の交差部等にあって、道路の路側や歩車道境界等に沿ってその上面を路面に露出させ、且つ路面と略面一状にして道路に埋設された水路ブロックの接合によって形成された道路縦断方向に沿う側帯用の水路が、これと交差する道路によって遮られるような場合に、従来の如き深底状のマスブロックや土被りが大きい排水管を使用することなく、道路機能、安全及び景観面等から水路を路面に露出させずに交差道路を横断して接続させるべく、前記中継用水路ブロック、暗渠型水路ブロックの連結によって、暗渠型水路ブロックの上面を路面から沈埋させた交差道路を横断する路面用水路施設を容易に形成でき、従来に比しその施工に手間がかからず施工作業性を向上させることができる。
又、これに加えて、水路の断面が夫々異なる水路ブロック、中継用水路ブロック、暗渠型水路ブロックをその各水路における流量を略同等となすとともに、水路底部位置を長手方向に揃えて接合しているために、一連の水路に急激な段差が生じず道路縦断方向に連続して速やかに、且つその排水性を損なうことなく良好な状態で排水でき、従来に比し排水能力等の流水性を向上させることができるとともに、相互の接合によって一連の水路の一体性を好適に維持できる。【００１１】  又、本発明の中継用水路ブロックは、水路の断面が、長手方向の一端で水路ブロックの円形等所定形状をなす断面と、他端で暗渠型水路ブロックの略山形状の上部を有する略扁平異形状をなす断面と夫々同断面を有して長手方向にわたり漸次変形されているために、上述した路面用水路施設の形成に際し、側帯等の水路を形成すべく上面を路面に露出させ、且つ路面と略面一状にして道路に埋設される水路ブロックと、その上面を路面に露出させずに上面を含む全体を道路に埋設する暗渠型水路ブロックとの間に介在して、各水路をスムーズに連通させて道路に埋設することで水路ブロック、暗渠型水路ブロックを速やか且つ容易に接合できる。
しかも、その水路における流量が前記水路ブロック、暗渠型水路ブロックの水路の流量と略同等となされるとともに、水路底部が前記水路ブロック、暗渠型水路ブロックの水路底部と連続すべく長手方向に略直線状となされているために、水路を道路縦断方向に連続させてその排水能力等の流水性を損なうことなく良好な状態、即ち一連の水路に急激な段差を生じせしめることなく前記水路ブロック、暗渠型水路ブロックを接合できる。【００１２】  又、本発明の暗渠型水路ブロックは、水路の断面が円形等所定形状をなす水路ブロックに間接的に接合されるもので、内部の長手方向に沿う水路の断面が略山形状の上部を有する略扁平異形状をなし、その水路の流量が前記水路ブロックの水路の流量と略同等となされるとともに、水路底部が前記水路ブロックの水路底部位置に揃うべく長手方向に略直線状となされ、上面が水路上部との間に所定厚みを有して前記水路ブロックの上面より所定高さ分低く形成されているために、上述した路面用水路施設の形成に際し、側帯等の水路を形成すべく上面を路面に露出させ、且つ路面と略面一状にして道路に埋設される水路ブロックに対して、水路の排水能力等の流水性を損なうことなく良好な状態に維持して接合すべく、水路底部位置を長手方向に揃えて水路ブロックの施工と略同様の施工で容易にその上面を路面に露出させることなく路面下の所定深さに位置させ、上面を含む全体を道路に沈埋して位置させることができる。
又、水路の断面が略山形状の上部を有する略扁平異形状をなし、上面を水路上部との間に所定厚みを有して形成するために、前記路面用水路施設の形成に際して、道路を横断すべく上面を含む全体が道路に沈埋されてその上方から輪荷重等が負荷されても十分な強度を有し、安定した構造の路面用水路施設の形成に寄与できる。【００１３】  又、本発明の暗渠型水路ブロックは、内部の水路の略扁平異形状をなす断面形状が、略左右対称状をなし、左右方向に延びる底辺部の左右両端に側辺部が略起立状に連続され、底辺部に相対し、頂部の左右両側が所定勾配の斜降状をなして略山形状となされた上辺部の左右両端を両側辺部の上端に夫々連続させて形成されているために、ブロック上面が水路上部との間に所定厚みを有して形成されていることと相俟って、少なくとも上面に負荷される輪荷重等外力による曲げやせん断力に耐えうる強度を保持して贅肉（無駄）の少ない全体が経済的で有効な断面形状を有するブロックとすることができる。又、強度的に安定し排水性に優れた構造の路面用水路施設の形成にも寄与できる。
【発明を実施するための最良の形態】
【００１４】  以下、図面を参照しながら本発明の実施の形態について説明する。
図１（イ）乃至（ハ）は本発明に係る路面用水路施設の一実施の形態を示し、Ａは本実施形態の路面用水路施設であって、図１（イ）に示すように、道路Ｒの縦断方向（図面で横方向に延びる）の路側に沿う側帯用の水路をなすべく道路に埋設された水路ブロック１と、前記道路ＲとＴ字状に交差する道路Ｒ′（図面で縦方向に延びる）を横断すべくその全体が完全に道路に沈埋された暗渠型水路ブロック２との間に、道路に埋設された中継用水路ブロック３が介在されて互いに接合されて形成されている。尚、本実施形態では暗渠型水路ブロック２が複数接合されて前記道路Ｒ′を横断すべくなされている。【００１５】  前記水路ブロック１は、例えば図３（イ）乃至（ハ）に示すように、内部に長手方向に沿う断面円形の水路１ａを有する横長筒状のコンクリート製等のブロックであって、水路１ａの底部が長手方向に略直線状となされ、水路ブロック１の上面１ｂが長手方向と直交する幅方向にわたる緩傾斜面となされており、その上面１ｂが路面に露出され、且つ路面と略面一状となされて道路に埋設施工されるものである。
又、水路ブロック１は、施工時に他ブロックとボルト連結して接合するために、その長手方向両端面の下位両側に本体部分から突出するフランジ１ｃが夫々設けられ、水路ブロック１の正面側にあるフランジ１ｃ部分と、該フランジ１ｃの上下斜め対角線上に位置する背面側の本体部分には、夫々ボルト孔１ｄが設けられている。【００１６】  暗渠型水路ブロック２は、例えば図４（イ）乃至（ニ）に示すように、内部に長手方向に沿う水路２ａを有する横長筒状のコンクリート製等のブロックであって、前記水路２ａの断面は、ブロックの強度面及び排水能力等の流水性の面から略山形状の上部を有する略扁平異形状となされている。
具体的には、前記水路２ａの底部は前記水路ブロック１の水路１ａの底部と同様に長手方向に略直線状に延び、水路２ａにおける流量が水路ブロック１の水路１ａの流量と略同等となる（水路２ａ内での所定水深比（例えば８割水深）における流量が、水路ブロック１の水路１ａ内での所定水深比（例えば８割水深）における流量と略同等となるのが好ましいが、かかる各所定水深比は必ずしもこれに拘束されない）ように水路２ａの断面形状が設計される（連通すべき前記水路１ａの断面が円形であることから、これに適合すべき滑らかな外形を有する形状となされるのが好ましい）とともに、暗渠型水路ブロック２の上面２ｂに負荷される輪荷重等外力による曲げやせん断力に対する最低限の強度を保持する必要性等の面から水路２ａ及び暗渠型水路ブロック２の断面形状が設計されている。【００１７】  更に詳しくは、前記水路２ａの断面形状は、図４（ハ）及び（ニ）に示すように、略左右対称状をなし、左右方向に延びる緩やかな略Ｖ形状の底辺部２ｅの左右両端に、外方に向け凸湾曲状をなす側辺部２ｆが略起立状に滑らかに連続され、底辺部２ｅに相対し、丸みを帯びた頂部の左右両側が所定勾配の斜降状をなしてなだらかな略山形状となされた上辺部２ｇの左右両端を両側辺部２ｆの上端に夫々滑らかに連続させて形成されることにより、前記流量及び最低限の強度保持の条件を満足するようになされ、暗渠型水路ブロック２がその全体断面形状が贅肉（無駄）の少ない有効なブロックとなされている。【００１８】  又、前記上面２ｂが水路２ａの上部との間に所定厚みを有し、水路２ａの底部位置を前記水路ブロック１の水路１ａの底部と長手方向に揃えた際、上面２ｂが水路ブロック１の上面１ｂより所定高さ分低く形成されている。
即ち、水路２ａの断面を、前記水路１ａの断面円形に比し底部から上部方向への広がりを抑えてその断面高さを低くした前記の如き略扁平異形状とすることで、前記上面２ｂを水路ブロック１の上面１ｂより低く形成可能となし、後述するように、その上面１ｂを路面に露出させ、且つ路面と略面一状にして道路に埋設される水路ブロック１に対し、後述の中継用水路ブロック３を介して接合する際、暗渠型水路ブロック２はその上面２ｂを路面ｒに露出することなく路面下の所定深さ（例えて、道路舗装材の下端位置）に位置させて、全体を道路に沈埋可能としている（図１（ハ）及び図２（ニ）参照）。
又、施工時に他ブロックとボルト連結して接合するために、暗渠型水路ブロック２の長手方向両端面付近の両側壁にその下部から底部にわたる凹部２ｃ（ボルトやナットの挿入用空間）が夫々設けられるとともに、上記両端面下部に長手方向に沿い凹部２ｃ内に貫通するボルト孔２ｄが夫々設けられている。【００１９】  中継用水路ブロック３は、例えば図５（イ）乃至（ホ）に示すように、内部に長手方向に沿う水路３ａを有する横長筒状のコンクリート製等のブロックであって、前記水路３ａの断面は、長手方向の一端で前記水路ブロック１の水路１ａの断面と同様の円形、他端で前記暗渠型水路ブロック２の水路２ａの断面と同様の略山形状の上部を有する略扁平異形状（水路２ａと同様の底辺部３ｅと側辺部３ｆと上辺部３ｇとから形成される）となされ、長手方向一端から他端にわたり漸次変形されている。
前記水路３ａの底部は、前記水路ブロック１、暗渠型水路ブロック２の水路１ａ，２ａの底部と同様に長手方向に略直線状となされ、水路３ａにおける流量が前記水路１ａ，２ａの流量と略同等となる（水路３ａ内での所定水深比（例えば８割水深）における流量が、前記水路１ａ，２ａ内での所定水深比（例えば８割水深）における流量と略同等となるのが好ましいが、かかる各所定水深比は必ずしもこれに拘束されない）ように水路３ａの断面形状が設計され、図５（イ）に破線で示す如く水路３ａの上部が長手方向一端から他端に向け直線的に漸次斜降する一方、図５（ロ）に破線で示す如く水路３ａの両側部が長手方向一端から他端に向け直線的に漸次拡開されて、前記のように水路３ａの断面が長手方向一端の円形から他端の略扁平異形状に至るまで漸次変形されている。【００２０】  又、中継用水路ブロック３の上面３ｂは、前記水路ブロック１の上面１ｂと略同様に長手方向と直交する幅方向にわたる緩傾斜面となされ、水路３ａの底部位置を前記水路ブロック１の水路１ａの底部と長手方向に揃えた際、上面３ｂが水路ブロック１の上面１ｂと略同高さとなるように形成されている。
又、中継用水路ブロック３は、その施工時に他ブロックとボルト連結して接合するために、長手方向一端面に前記水路ブロック１のボルト孔１ｄに対応するボルト孔３ｄが対角線上に位置して設けられるとともに、前記一端面付近の両側壁にボルト孔３ｄに連通する凹部３ｃ（ボルトやナットの挿入用空間）が設けられる一方、長手方向他端面の下位に暗渠型水路ブロック２のボルト孔２ｄに対応するボルト孔３ｄが設けられるとともに、前記他端面付近の両側壁にその下部から底部にわたる凹部３ｃが設けられてボルト孔３ｄに連通されている。【００２１】  しかして、本実施形態の路面用水路施設Ａは、図１（イ）に示すように、道路Ｒの路側に沿ってその上面１ｂを路面に露出させ、且つ路面と略面一状にして道路に埋設された水路ブロック１が接合されて形成される側帯の水路が、道路Ｒと交差する道路Ｒ′によって遮られるような場合に、前記水路を交差道路Ｒ′を横断して連続させるべく形成するものである。
即ち、図１（イ）に示すように、側帯の水路を形成する水路ブロック１の長手方向に連続して、交差道路Ｒ′の手前に中継用水路ブロック３を配し、これに連続して交差道路Ｒ′を横断するべく暗渠型水路ブロック２を配し、図１（ロ）及び（ハ）に示すように、各水路１ａ，３ａ，２ａの底部位置を長手方向に揃えて水路１ａ，３ａ，２ａを連通させて接合し、中継用水路ブロック３は水路ブロック１と同様にその上面３ｂを路面ｒに露出させ、且つ路面ｒと略面一状にして道路に埋設し、暗渠型水路ブロック２はその上面２ｂを路面ｒに露出することなく路面ｒ下に位置させて上面２ｂを含む全体を道路に沈埋（図２（ニ）参照）して、交差道路Ｒ′を横断するようになし（本実施形態では暗渠型水路ブロック２を長手方向に複数接合して路面下の浅い位置で交差道路Ｒ′を横断するが、必ずしもこれに拘束されない）、前記側帯の水路を連続させるべく路面用水路施設Ａを形成するものである。【００２２】  尚、図示しないが、水路ブロック１と中継用水路ブロック３の接合に際しては相連通するボルト孔１ｄ，３ｄに、中継用水路ブロック３と暗渠型水路ブロック２の接合に際しては相連通するボルト孔３ｄ，２ｄに、夫々ボルトが挿通され、これにナットが螺合されることで互いに接合されるとともに、これらの接合は隣接する各水路ブロック間に止水パッキン（予め各水路ブロックの一端面に装着されている）が挟着されて行われる。
従って、路面用水路施設Ａは、その水路１ａ，３ａ，２ａ底部位置を長手方向に直線状に揃えて、水路ブロック１と暗渠型水路ブロック２とを中継用水路ブロック３を介して接合し、図２（イ）に示す断面円形の水路１ａを、図２（ロ）及び（ハ）に示す断面が漸次変化する水路３ａを介して図２（ニ）に示す断面略扁平異形状の水路２ａと連通させることから、断面略扁平異形状の水路２ａを有する暗渠型水路ブロック２の上面２ｂを水路ブロック１の上面１ｂより低く形成して、その上面２ｂを路面ｒから露出することなく路面ｒ下に位置させ、暗渠型水路ブロック２全体を道路に沈埋して交差道路Ｒ′を横断させることが可能で、しかも、水路１ａ，３ａ，２ａにおける流量を略同等となすとともに、一連の水路に段差等を生じせしめることなくスムーズに連設することから、排水能力を損なうことなく速やかな排水が可能となる。【００２３】  尚、本発明は前記実施形態のものに限定されることなく、本発明の意図する範囲内で種々の変形が可能である。
例えば、前記水路ブロック１は、その水路１ａの断面が円形となされているが、円形以外に、だ円形、卵形、四角形、多角形等、上下左右方向に広がりを有する所定形状となされてもよいし、又、上面１ｂは幅方向にわたる傾斜面となされているが、幅方向両端部から略中央部に向け斜降する傾斜面となされてもよいし、孔等がなく閉塞された状態でもよいし、適宜排水用の流入孔が設けられてもよいし、或いは長手方向に沿い水路１ａに連通する開口部が設けられる等、種々の形態となされてもよく、その長手方向の長さも適宜長さであればよい。
即ち、前記水路ブロック１は、内部に長手方向に沿う所定断面形状の水路１ａを有して側帯等の水路を形成する汎用の水路ブロックや公知の水路ブロックであってもよく、格別特殊なものである必要はない。【００２４】  又、暗渠型水路ブロック２は、その水路２ａの断面が必ずしも前記実施形態の如き略扁平異形状に限定されず、前記水路ブロック１の水路１ａの所定の断面形状に応じて、水路２ａにおける流量が前記水路１ａの流量と略同等（好ましくは水路２ａ内の所定水深比における流量が前記水路１ａ内の所定水深比における流量と略同等）となるとともに、上面２ｂに負荷される輪荷重等外力に対する強度を考慮し、水路２ａの底部位置を前記水路１ａの底部と揃え、水路１ａの断面高さより低い略扁平異形状となされればよい。
要は、水路２ａの断面が略扁平異形状となされることで、前記上面２ｂが水路ブロック１の上面１ｂより低く形成可能となればよく、水路２ａの断面は、少なくとも前記流量や強度の条件を満足する種々の略山形状の上部を有する略扁平異形状であればよい。【００２５】  例えば、水路２ａの断面形状は、略山形状をなす上辺部２ｇが、図７（イ）に示す如き丸みを帯びた頂部の左右両側が前記実施形態のものに比し急勾配の斜降状、図７（ロ）に示す如き略水平状の頂部の左右両側が所定勾配の斜降状、図７（ハ）に示す如き稍凹状をなす頂部の左右両側が所定勾配の斜降状、その他適宜形状の頂部の左右両側が斜降状となされる等、前記実施形態のものが種々変形されるとともに、底辺部２ｅ、側辺部２ｆも図７（イ）乃至（ハ）に示す他、その長さや形状（直線状、屈曲状、湾曲状、溝付状等、図７（ニ）乃至（リ））が適宜変更されることで、種々の略山形状の上部を有する略扁平異形状となされればよい。又、水路２ａの断面形状は、略左右対称状が構造面等から好ましいが、必ずしも左右対称状でなくともよい。【００２６】  前記暗渠型水路ブロック２の全体断面形状についても、少なくとも上面２ｂに負荷される輪荷重等外力に対する十分な強度を有するとともに、水路２ａの底部位置を前記水路ブロック１の水路１ａの底部と長手方向に揃えた際、上面２ｂが水路ブロック１の上面１ｂより所定高さ分（上面２ｂの路面下埋設深さ分）低く形成されればよく、前記図示した実施形態のものに限定されず、適宜形状に変更可能である。
又、暗渠型水路ブロック２の長手方向の長さも前記十分な強度を保持する適宜長さとなされればよいし、他ブロックとの接合部の形状、構造についても実施形態のものに拘束されず、適宜変更されてもよい。【００２７】  尚、暗渠型水路ブロック２は、前記水路ブロック１、中継用水路ブロック３と独立して使用されてもよく、その際、前記した如く水路２ａの略扁平異形状をなす断面形状が、略左右対称状をなし、左右方向に延びる底辺部２ｅの左右両端に側辺部２ｆが略起立状に連続され、底辺部２ｅに相対し、頂部の左右両側が所定勾配の斜降状をなして略山形状となされた上辺部２ｇの左右両端を両側辺部２ｆの上端に夫々連続させて形成されたものが好適に使用でき、本来前記路面用水路施設Ａの形成に供されるものがそのまま転用されればよい。
例えば図８（イ）及び（ロ）に示すように、前記図１と略同様に互いに交差する道路Ｒ，Ｒ′において、交差道路Ｒ′を横断して複数接合された暗渠型水路ブロック２に、前記水路ブロック１、中継用水路ブロック３に代えて更に暗渠型水路ブロック２を道路Ｒの路側に沿って連続して接合することもでき、その際、暗渠型水路ブロック２は図８（イ）及び図２（ニ）に示す如くその全体が道路に沈埋され、その上側に種々街きょ工（図示せず）が施工されてもよいし、場合によっては図８（ロ）及び（ハ）に示す如く上面２ｂが路面ｒに露出されてもよい。又、道路の交差部に限らず他の種々の場所に独立して使用されてもよく、上面２ｂは図８（ニ）に示す如き幅方向両端部から略中央部に向け斜降する傾斜面となしてもよい他、幅方向にわたる傾斜面等その設置場所に相応して適宜に変更可能である。尚又、暗渠型水路ブロック２が前記の如く独立して使用される場合、前記水路ブロック１に拘束されず水路２ａ内の所定水深比における流量が適宜決められてもよい。【００２８】  又、中継用水路ブロック３は、前記実施形態では水路３ａの断面が長手方向一端の円形から他端の略扁平異形状に至るまで漸次変形されているが、水路ブロック１、暗渠型水路ブロック２の水路１ａ，２ａの断面形状に応じて、水路３ａの断面が長手方向一端で前記水路１ａの断面（例えば、だ円形、卵形、四角形、多角形等）、他端で前記水路２ａの断面（種々の略山形状の上部を有する略扁平異形状）と夫々同断面を有して長手方向にわたり漸次変形されてもよい。
即ち、中継用水路ブロック３は、前記のように断面が変化する水路３ａを有して、水路ブロック１と暗渠型水路ブロック２との間に介在して、各水路１ａ，３ａ，２ａを段差が生じることなく連通させて接合可能となされておればよい。【００２９】  又、中継用水路ブロック３の上面３ｂも、長手方向と直交する幅方向にわたる緩傾斜面となされているが、必ずしもこれに限定されず、前記水路ブロック１の上面１ｂに適合させる等、適宜傾斜面や略水平面等、種々の形態となされてもよく、又、中継用水路ブロック３の長手方向の長さも十分な強度を保持する適宜長さであればよいし、他ブロックとの接合部の形状、構造についても実施形態のものに拘束されず、適宜変更されてもよい。
更に、水路３ａの底部位置を前記水路ブロック１の水路１ａの底部と長手方向に揃えた際、実施形態では長手方向にわたり上面３ｂが水路ブロック１の上面１ｂと略同高さとなるように形成されているが、必ずしもこれに限定されず、例えば図６（イ）乃至（ハ）に示すように長手方向の一端から他端に向けその途中まで上面３ｂが水路ブロック１の上面１ｂと略同高さで、途中から他端に向け漸次斜降する傾斜面、又は、同図（イ）に一点鎖線で示すように階段状の略水平面となされてもよく、この場合には長手方向の他端側で傾斜面又は略水平面をなす上面３ｂが路面から露出することなく道路に埋設されて施工されればよく、更に又、上面３ｂが長手方向の一端から他端全長にわたって漸次斜降する傾斜面となされてもよい。【００３０】  尚、路面用水路施設Ａの形成に際しては、前記種々の形態が可能な水路ブロック１、中継用水路ブロック３、暗渠型水路ブロック２をその水路１ａ，３ａ，２ａを連通させて接合すればよく、その接合方法は上記ボルト連結に限定されず、端面間に止水パッキンを挟着して端面相互を突き合わせたり、端面相互を嵌合する等適宜種々の方法を採用すればよく、又、前記のように少なくとも各水路ブロック１，３，２を水路１ａ，３ａ，２ａにおける流量を略同等となすとともに、水路１ａ，３ａ，２ａ底部位置を長手方向に略直線状に揃えて、暗渠型水路ブロック２の上面２ｂを水路ブロック１の上面１ｂより所定高さ分低く形成し、暗渠型水路ブロック２をその上面２ｂを含め全体を道路に沈埋可能となし、路面構成を単純化して道路機能、安全及び景観を損なわないようにすればよい。
尚又、路面用水路施設Ａは、その施工場所が前記実施形態の如き道路の交差部に限定されることなく、道路機能、安全及び景観面やその他の面から必要とされる他の種々の場所に施工されてもよいことは勿論であるとともに、実施形態では暗渠型水路ブロック２の両側が夫々中継用水路ブロック３を介して水路ブロック１に接合されているが、必要に応じて暗渠型水路ブロック２の一側のみが中継用水路ブロック３を介して水路ブロック１に連結され、他側が中継用水路ブロック３を介することなく直接他の水路施設等に接合されてもよい。
【図面の簡単な説明】
【００３１】
【図１】  本発明に係る路面用水路施設の一実施の形態を示し、（イ）は平面図、（ロ）は（イ）のＢ−Ｂ端面図、（ハ）は（ロ）のＣ部拡大図。
【図２】  （イ）は図１（イ）のＤ−Ｄ拡大端面図、（ロ）は図１（イ）のＥ−Ｅ拡大端面図、（ハ）は図１（イ）のＦ−Ｆ拡大端面図、（ニ）は図１（イ）のＧ−Ｇ拡大端面図。
【図３】  図１の路面用水路施設における水路ブロックの一例を示し、（イ）は一部省略正面図、（ロ）は左側面図、（ハ）は（イ）のＨ−Ｈ断面図。
【図４】  図１の路面用水路施設における暗渠型水路ブロックの一例を示し、（イ）は一部省略正面図、（ロ）は一部省略平面図、（ハ）は側面図、（ニ）は（イ）のＪ−Ｊ断面図。
【図５】  図１の路面用水路施設における中継用水路ブロックの一例を示し、（イ）は正面図、（ロ）は平面図、（ハ）は左端面図、（ニ）は右端面図、（ホ）は（イ）のＫ−Ｋ断面図。
【図６】  中継用水路ブロックの他の例を示し、（イ）は正面図、（ロ）は左端面図、（ハ）は右端面図。
【図７】  （イ）乃至（リ）は夫々暗渠型水路ブロックの水路の断面形状の他の例を示す説明図。
【図８】  （イ）及び（ロ）は夫々暗渠型水路ブロックの使用による路面用水路施設を示す平面図、（ハ）は（ロ）のＬ−Ｌ拡大断面図、（ニ）は暗渠型水路ブロックの上面形状の他の一例を示す断面図。
【符号の説明】
【００３２】  Ａ  路面用水路施設
１  水路ブロック
１ａ，２ａ，３ａ  水路
１ｂ，２ｂ，３ｂ  上面
２  暗渠型水路ブロック
２ｅ，３ｅ  底辺部
２ｆ，３ｆ  側辺部
２ｇ，３ｇ  上辺部
３  中継用水路ブロック
Ｒ，Ｒ′  道路
ｒ  路面
【図１】
2008163708.tif 000003
【図２】
2008163708.tif 000004
【図３】
2008163708.tif 000005
【図４】
2008163708.tif 000006
【図５】
2008163708.tif 000007
【図６】
2008163708.tif 000008
【図７】
2008163708.tif 000009
【図８】
2008163708.tif 000010